(57)【要約】【課題】試料液の温度が目標温度に一致しなくても精度よく試料液中の測定対象物の濃度が測定できる。【解決手段】測定対象物質を含む試料液の測定温度と、当該試料液にバブリングされたキャリアガス中に含まれる測定対象物質のガス濃度を検出し、前記測定温度と測定対象物質のキャリアガス中のガス濃度と、特定の濃度での温度と測定対象物質のガス濃度との関係から目標温度における測定対象物質のガス濃度を求め、前記目標温度におけるガス濃度から試料液中の測定対象物質の濃度を求める。これによって、試料温度が目標温度にならなくても精度よく測定対象物の濃度を求めることができる。【選択図】図１
2014211424.tif 000002
【特許請求の範囲】
【請求項１】
測定対象物質を含む試料液を充填する容器と、
該容器上端の開口部を封止する蓋体と、
前記蓋体から前記容器内に突出した恒温ブロックと、
前記蓋体と恒温ブロックを貫通して設けられ、前記試料液にキャリアガスをバブリングするための通気孔と、
前記蓋体を貫通して容器内部と外部を連通し、前記バブリングされたキャリアガスを外部に排出するための測定孔と、
前記測定孔の途中に設けられ前記測定対象物質のキャリアガス中のガス濃度を検出するガスセンサと、
前記容器に充填された試料液の温度を測定する温度センサと、
特定濃度における温度とガス濃度との関係から、前記測定温度下でのガス濃度を目標温度におけるガス濃度に変換する温度補正手段と、
上記目標温度におけるガス濃度より、測定対象物の試料液中の濃度を算出する演算手段
とを備えたことを特徴とする濃度計。
【請求項２】
更に、前記試料液温度と、前記ブロック温度を目標温度付近にするための温度制御手段を備えた請求項１に記載の濃度計。
【請求項３】
請求項１に記載の装置を用いて、
容器に充填された測定対象物質を含む試料液の測定温度と、当該試料液にバブリングされたキャリアガス中の測定対象物のガス濃度を検出するステップ
前記試料液温度と当該試料液に含まれる測定対象物のガス濃度と、測定対象物の特定の濃度における温度とガス濃度との関係から、目標温度におけるガス濃度を求めるステップ
前記目標温度におけるガス濃度から試料液中の測定対象物質の濃度を求める演算をするステップ
を備えたことを特徴とする濃度測定方法。
【請求項４】
測定対象物質を含む試料液の測定温度と、当該試料液にバブリングあるいは接触されたキャリアガス中に含まれる測定対象物質のガス濃度を検出するステップ
特定の濃度での温度と測定対象物質のガス濃度との関係から、前記測定温度での測定対象物質のキャリアガス中のガス濃度を目標温度におけるガス濃度に変換するステップ
前記目標温度におけるガス濃度から試料液中の測定対象物質の濃度を求めるステップ
を備えたことを特徴とする濃度測定方法。
【発明の詳細な説明】
【技術分野】
【０００１】
本発明は濃度計とそれを用いた濃度測定方法に関し、特に、温度補正ができる濃度計と濃度測定方法に関するものである。
【背景技術】
【０００２】
揮発性の測定対象物質（例えばアルコール）の試料液中の濃度は、特定の気体を所定温度（測定温度）下でバブリングしたときの当該気体中の測定対象物質のガス濃度、前記測定温度から計算で求めることができる。
【０００３】
そこで、従来は厳密に管理された一定温度下でキャリアガス中に所定のガス濃度を得て、当該ガス濃度に基づいて濃度を算出するようにしている。
【０００４】
すなわち、図６に示すように恒温槽（図示しない）よりの水をガス管１１０を包む恒温容器１００内に循環させ、当該恒温容器１００内に配管１２０を介して試料液を流し、当該試料液の温度を前記水の温度と一致させてから、前記ガス管１１０に供給するようにしている。
【０００５】
上記構成において、試料液を前記ガス管１１０に、図面上、上側から管壁に沿って流下させながら、ガス管１１０の下側からキャリアガスを流すようにしているので、キャリアガスに、試料液に含まれるアルコールが、現在の温度（測定温度）での平衡状態で含まれることになる、このアルコールのガス濃度をガスセンサ１３０の電圧として検出する。このように検出された電圧に基づいて試料液中のアルコールの濃度が計算されることになる。
【０００６】
ここで試料液の温度としては、例えばガスセンサが最も感度がよい温度が選択され、このように温度が固定された状態でのキャリアガスのアルコールのガス濃度と試料液中の濃度との関係を予め求めておくと、ガス濃度を求めると試料液中のアルコールの濃度が求められることになる。
【０００７】
尚、図６において試料液の他の要素を測定する必要上、配管１２０は分岐されている。
【０００８】
また、特開平05-045263号公報にバブリングのよるアルコール濃度測定装置が開示されているが、以下で問題となる試料の現在の温度（測定温度）と恒温槽で設定されている温度との関係については一切触れられていない。
【先行技術文献】
【特許文献】
【０００９】
【特許文献１】特開平０５−０４５２６３号公報
【発明の概要】
【発明が解決しようとする課題】
【００１０】
上記構成によるアルコールの濃度の測定は、恒温槽によって厳格に所定の温度に管理された水および、当該水と同じ温度に保持されたキャリアガスを必要とし、装置が大掛かりになり、コストも大きくならざるを得ない。また、試料液の温度が、恒温槽からの水で所定温度に維持されていること、およびキャリアガスの温度もそれと同じに保たれていることを前提に測定作業をするので、万一なんらかの原因で恒温槽の水温と試料液の温度、あるいはキャリアガスの温度が異なった場合、測定誤差が発生することになる。
【００１１】
一方で、キャリアガス中のアルコールのガス濃度は僅かな温度の違いで大きく異なり、結果として測定中の温度管理が厳格に維持されていない場合は、上記の測定誤差は極めて大きいものとなる。
【００１２】
尚、測定温度とガス濃度および濃度の３次元の関係を式あるいはテーブルとして記憶手段に記憶しておき、測定温度から得られるガス濃度から直接濃度を導き出すする構成とすれば、恒温槽での温度管理は不要になり、簡単に目的とする濃度が得られるという理論も机上論としては成立するが、データが膨大になり、コストデメリットが大きく実用に適さないことになる。
【００１３】
本発明は、上記従来の事情に鑑みて提案されたものであって、試料液の温度およびキャリアガスの温度を厳格に管理しなくても精度よく対象物質のガス濃度を測定することができ、結果として対象物質の試料液中の濃度を測定することができるガス濃度測定装置とガス濃度測定方法を提供することを目的とするものである。
【課題を解決するための手段】
【００１４】
上記目的を達成するために、本発明は以下の手段を採用している。
【００１５】
まず、測定対象物質を含む試料液の測定温度と、当該試料液にバブリングされたキャリアガス中に含まれる測定対象物質のガス濃度を検出する。特定の濃度での温度と測定対象物質のガス濃度との関係から、前記測定温度での測定対象物質のキャリアガス中のガス濃度を目標温度におけるガス濃度に変換する。次いで、前記目標温度におけるガス濃度から試料液中の測定対象物質の濃度を求めるようにする。
【００１６】
上記の方法は以下の装置によって実現される。
【００１７】
測定対象物質を含む試料液を充填する容器と、該容器上端の開口部を封止する蓋体とを備え、恒温ブロックを前記蓋体から前記容器内に突出させておく。通気孔が前記蓋体と恒温ブロックを貫通して設けられ、前記試料液にキャリアガスを前記通気孔を解してバブリングされるようにする。測定孔を前記蓋体を貫通して容器内部と外部を連通し、前記バブリングされたキャリアガスを外部に排出する。前記測定孔の途中にガスセンサが設けられ前記測定対象物質のキャリアガス中のガス濃度を検出する。また、温度センサによって前記容器に充填された試料液の温度が測定される。温度補正手段では、特定濃度における温度とガス濃度との関係から、前記測定温度下でのガス濃度を目標温度におけるガス濃度に変換（補正）し、更に、濃度演算手段で、前記目標温度におけるガス濃度より、測定対象物の試料液中の濃度を算出するようになっている。
【００１８】
ここで、前記恒温ブロックには温度制御手段を設け、試料液は前記恒温ブロックによって恒温され、また恒温ブロック貫通された前記通気孔を介してキャリアガスが試料液にバブリングされるので、試料液とキャリアガスは目標温度に近い同じ温度に保持されることになる。
【発明の効果】
【００１９】
測定温度で得たガス濃度を、目標温度におけるガス濃度に補正し、当該目標温度でのガス濃度から対応濃度を求めるようになっている。目標温度でのガス濃度から対応濃度への変換は、既に知られている関係式あるいはテーブルを使用するか、専用の式を作成しそれを用いる。したがって、測定温度が目標温度と異なっても、常に目標温度に補正されたガス濃度に基づいた濃度を算出することになるので、比較的精度よく、しかも迅速な計測が可能となる。
【図面の簡単な説明】
【００２０】
【図１】図１は本発明の濃度計を示す概念図である。
【図２】図２は特定の濃度における温度とガス濃度の関係を示すグラフ。
【図３】図３は本発明の濃度計を用いてアルコール濃度を測定した例。
【図４】図４は本発明の濃度計を用いてアルコール濃度を測定した例。
【図５】図５は本発明の濃度計を用いてアルコール濃度を測定した例。
【図６】図６は従来技術を示す概念図である。
【発明を実施するための形態】
【００２１】
図１は本発明の実施の形態を示す図である。試料液中の濃度測定の対象物質がアルコールである場合を例に説明する
試料液（例えばビール）をいれる容器１０の上端の開口部が蓋体１１によって封止されるようになっている。前記蓋体１１の下面から前記容器１０内に金属等熱伝導率の高い物質の恒温ブロック１２を突出させ、前記蓋体１１と当該恒温ブロック１２とにキャリアガスを導入するための通気孔１３が貫通され、容器内部と外部が連通される。
【００２２】
また、容器１０に導入されたキャリアガスは前記蓋体１１を介して容器１０の内部と外部を貫通する測定孔１５から外部に排出されるようになっており、当該測定孔１５の途中にガスセンサ１６が設けられ、試料液に含まれるアルコールのガス濃度が電圧として検出される。
【００２３】
容器１０に測定対象物質（アルコール）を含む試料液が入れられたときに、その温度を検出するための温度センサ２１が備えられる。更に、前記恒温ブロック１２にも温度センサ２２が備えられ、当該恒温ブロック１２の温度は、恒温ブロックに埋め込まれた熱素子（加熱あるいは冷却手段、例えばヒータ）２３を介して、目標温度（後述）あるいはそれに近い温度に温度制御手段２０で制御される。これとともに、恒温ブロック１２に漬かっている試料液の温度と前記通気孔１３から導入されたキャリアガスも目標温度（後述）あるいはそれに近い温度に保たれる構成になっている。
【００２４】
更に、上記ガスセンサ１６の出力を用いて試料のアルコール濃度を算出する演算装置３０が備えられ、前記試料液温度センサ２１と、ガスセンサ１６の出力を受けて作動するが、その動作については、以下の測定手順とともに説明する。
【００２５】
まず、測定対象のビール等の試料液を容器１０に充填し、通気孔１３からキャリアガスである空気を所定の速度で注入する。これによってキャリアガスは試料液中にバブリングされて測定孔１５から外部に放出されることになる。キャリアガスは試料液中を通過するときに試料液の濃度と温度に応じたアルコールガスの濃度に平衡し、当該ガス濃度は測定孔１５に設けたガスセンサ１６で測定され、電圧として検出される。
【００２６】
この時点で、恒温ブロック１２の温度が温度計２２で検出され、上記したように、当該温度が目標温度あるいは目標温度に近い値になるように熱素子２３が温度制御手段２０で制御される。これによって、試料液の温度と、前記通気孔１３を通過するキャリアガスの温度も目標温度あるいは目標温度に近い値に制御されることになる。
【００２７】
上記の構成で、現在の温度（測定温度）におけるアルコール蒸気の平衡したキャリアガスが得られ、測定孔１５を通過するので、ガスセンサ１６からは、当該ガス濃度Ｐtsに対応する電圧が得られることになる。この値は、演算装置３０の温度補正手段３１に入力される。また、前記試料液温度を測定する温度センサ２１の出力（測定温度Ｔs）も温度補正手段３１に入力される。
【００２８】
温度補正手段３１に内蔵する記憶手段には、図２に示すような、特定濃度のアルコール液の温度とガス濃度の関係が、式あるいはテーブルとして記憶されている。ここで、特定濃度として、求めるべきアルコール濃度に近い濃度（例えばビールであれば５vol％）が選択される。
【００２９】
演算装置３０の温度補正手段３１は上記のように入力された測定温度Ｔsにおけるガス濃度Ｐtsと、目標温度Ｔoにおけるガス濃度Ｐtoの比Ｐts／Ｐto＝Ｒsを前記式あるいはテーブルから求める。ここで、目標温度Ｔoとしてガスセンサ１６の感度が最もよい温度（例えば３５℃付近）が選択される。
【００３０】
この比は「求めるべきアルコール濃度における測定温度Ｔsでのガス濃度と目標温度Ｔoでのガス濃度の比」とほとんど変わらないと考えてよいので、前記測定温度Ｔsでのガスセンサ１６の出力Ｖsは目標温度Ｔoでの出力Ｖoに下記式で変換される。
【００３１】
（数１）
Ｖo＝Ｖs／Ｒs=Ｖs／(Ｐts／Ｐto)・・・・（１）
上記（１）式の演算によって、試料液が目標温度にならなくても、目標温度での試料液のアルコールガス濃度に対応する電圧Ｖoを得ることができることになる。
【００３２】
上記のように求められた電圧Ｖoは濃度演算手段３２に入力される。濃度演算手段３２に内蔵する記憶手段いは目標温度Ｔoでのガス濃度と試料液中のアルコール濃度との関係を式あるいはテーブルとして記憶しており、前記電圧Ｖoが入力されると対応する濃度が得られるようになっている。
【００３３】
図３〜図５は本発明の濃度測定装置を用いて６vol％のアルコール濃度の試料液を測定した結果である。図中(a)が試料液温度のカーブ（右目盛り）、(b)が温度補正をしないで得られた濃度、(c) が本発明により得られた濃度である。
【００３４】
上記図３に示すように、試料液温度を大きく変化させた場合であって温度補正をしない場合（曲線(b)）は、温度変化に伴って得られる濃度も大きく変化しているが、本発明での測定結果（曲線(c)）は、温度の変化の影響を反映しないで、しかも試料液温度と目標温度（３５℃）の差が比較的大きい段階でも本来の濃度に近い値を示している。
【００３５】
上記図３での現象は、図４、に示すように、試料液温度をゆっくり変化させながら目標温度に近づけた場合、あるいは図５に示すように、試料液温度を強制的に目標温度に近づけた場合でも同様である。すなわち、本発明（曲線(c)）では測定温度が目標温度との差があっても、本来の濃度が得られているが、温度補正をしない場合（曲線(b)）は、目標温度との差が濃度の誤差として顕著に現れることになる。
【００３６】
以上、図１に示す濃度計についてのみ説明したが、本発明は、図６に示す従来のアルコール濃度計についても適用できる。すなわち、図１のガスセンサ１６の出力が、図６に示すガスセンサ１３０の出力と等価であり、当該ガスセンサ１３０の出力を図１の演算装置３０の温度補正手段３１に入力することによって、恒温槽の温度が目標温度に厳密に一致していなくても、温度補正ができ、濃度演算手段３２で精度の高い濃度が得られることになる。
【００３７】
上記はアルコールを例に説明したが、対象物質としては揮発性物質であれば種類を問わず適用することができることはもちろんである。
【産業上の利用可能性】
【００３８】
本発明は上記のように測定温度が正確に目標温度になっていなくても、精度よく揮発性物質の濃度を測定することができ、しかも構成が極めて簡単であるので産業上の利用可能性が極めて高い。
【符号の説明】
【００３９】
１０  容器
１１  蓋体
１２  恒温ブロック
１３  通気孔
１５  測定孔
１６  ガスセンサ
２０  温度制御手段
２１  温度センサ
２２  温度計
３０  演算装置
３１  温度補正手段
３２  濃度演算手段
【図１】
2014211424.tif 000003
【図２】
2014211424.tif 000004
【図３】
2014211424.tif 000005
【図４】
2014211424.tif 000006
【図５】
2014211424.tif 000007
【図６】
2014211424.tif 000008